(57)【要約】【課題】電力回収回路を構成する回路素子にかかる負荷を軽減して電力回収回路を安定に動作させる。【解決手段】プラズマディスプレイパネル１０と維持パルス発生回路５０とを備え、維持パルス発生回路５０は、インダクタＬ１１、インダクタＬ１２と、電力回収用のコンデンサＣ１０と、第１のスイッチング素子Ｑ１１と、第１のダイオードＤｉ１１と、第２のスイッチング素子Ｑ１２と、第２のダイオードＤｉ１２とを備える電力回収回路５１を有し、電力回収回路５１は、第１のスイッチング素子Ｑ１１と第１のダイオードＤｉ１１とに並列に接続した第１のコンデンサＣ１１と、第２のスイッチング素子Ｑ１２と第２のダイオードＤｉ１２とに並列に接続した第２のコンデンサＣ１２とを有する。【選択図】図５
2011102820.tif 000002
【特許請求の範囲】
【請求項１】
走査電極と維持電極とからなる表示電極対を有する放電セルを複数備えたプラズマディスプレイパネルと、
前記表示電極対に印加する維持パルスを発生する維持パルス発生回路とを備え、
前記維持パルス発生回路は、
前記表示電極対の電極間容量とＬＣ共振するインダクタと、
前記電極間容量から回収される電力を蓄積する電力回収用のコンデンサと、
前記電力回収用のコンデンサから前記電極間容量に電力を供給するときに導通させる第１のスイッチング素子と、前記第１のスイッチング素子に直列に接続され前記電極間容量から前記電力回収用のコンデンサに流れる電流を遮断する第１のダイオードと、前記電極間容量から前記電力回収用のコンデンサに電力を回収するときに導通させる第２のスイッチング素子と、前記第２のスイッチング素子に直列に接続され前記電力回収用のコンデンサから前記電極間容量に流れる電流を遮断する第２のダイオードとを備える電力回収回路を有し、
前記電力回収回路は、
前記第１のスイッチング素子と前記第１のダイオードとに並列に接続した第１のコンデンサと、前記第２のスイッチング素子と前記第２のダイオードとに並列に接続した第２のコンデンサとを有する
ことを特徴とするプラズマディスプレイ装置。
【発明の詳細な説明】
【技術分野】
【０００１】
本発明は、壁掛けテレビや大型モニターに用いられるプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成されている。そして、それら表示電極対を覆うように誘電体層および保護層が形成されている。背面板は、背面ガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。そして、表示電極対とデータ電極とが立体交差するように前面板と背面板とが対向配置されて密封されている。密封された内部の放電空間には、例えば分圧比で５％のキセノンを含む放電ガスが封入され、表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、各放電セルにおいて、続く書込み動作のために必要な壁電荷を形成するとともに、書込み放電を安定して発生させるためのプライミング粒子（書込み放電を発生させるための励起粒子）を発生させる。
【０００５】
書込み期間では、走査電極に走査パルスを印加するとともに、データ電極には表示すべき画像信号にもとづき書込みパルスを印加して表示を行うべき放電セルに書込み放電を発生させ壁電荷を形成する（以下、この動作を「書込み」とも記す）。
【０００６】
維持期間では、サブフィールド毎に定められた数の維持パルスを走査電極と維持電極とからなる表示電極対に交互に印加する。それにより、書込み放電を起こした放電セルで維持放電を発生させ、その放電セルの蛍光体層を発光させる。これにより、各放電セルを、サブフィールド毎に定められた輝度重みに応じた輝度で発光させる。このようにしてパネルの各放電セルを画像信号の階調値に応じた輝度で発光させて画像表示を行う。
【０００７】
このサブフィールド法の１つとして、緩やかに変化する電圧波形を用いて初期化放電を行い、さらに維持放電を行った放電セルに対して選択的に初期化放電を行うことで、階調表示に関係しない発光を極力減らし、コントラスト比を向上させる駆動方法が開示されている。（例えば、特許文献１参照）。
【０００８】
また、表示電極対に維持パルスを印加する回路の１つとして、消費電力を削減することができる電力回収回路が開示されている。電力回収回路では、表示電極対のそれぞれが表示電極対の電極間容量を持つ容量性の負荷であることに着目し、インダクタを構成要素に含む共振回路を用いてそのインダクタと電極間容量とをＬＣ共振させ、電極間容量に蓄えられた電力を電力回収用のコンデンサに回収し、回収した電力を表示電極対の駆動に再利用する（例えば、特許文献２参照）。
【先行技術文献】
【特許文献】
【０００９】
【特許文献１】特開２０００−２４２２２４号公報
【特許文献２】特公平７−１０９５４２号公報
【発明の概要】
【発明が解決しようとする課題】
【００１０】
近年においては、パネルの大画面化、高輝度化により、パネルに印加される電圧が増大する傾向にある。そのため、パネルの駆動回路を構成する回路素子にかかる負荷も増大する傾向にある。
【００１１】
一方、上述した電力回収回路では、電極間容量に蓄えられた電力を電力回収用のコンデンサに回収するために、あるいは、回収した電力を表示電極対の駆動に再利用するために、電力回収回路に備えられたスイッチング素子をスイッチング動作させる際に、共振現象により電源電圧よりも高い電圧や接地電位よりも低い電圧がスイッチング素子に加わることがある。
【００１２】
そのため、大画面化、高輝度化されたパネルを用いたプラズマディスプレイ装置では、電力回収回路を構成する回路素子に比較的高い負荷がかかりやすい。そして、そのような高い負荷が回路素子にかかると、回路素子の劣化が早まったり、あるいは、回路素子における発熱量が増大することがある。そのため、大画面化、高輝度化されたパネルを用いたプラズマディスプレイ装置では、回路素子の劣化や回路素子における発熱量を低減するために、定格値の大きい回路素子を使用しなければならない場合がある。
【００１３】
本発明はこのような課題に鑑みなされたものであり、電力回収回路を構成する回路素子にかかる負荷を軽減して、電力回収回路を安定に動作させることができるプラズマディスプレイ装置を提供することを目的とする。
【課題を解決するための手段】
【００１４】
本発明のプラズマディスプレイ装置は、走査電極と維持電極とからなる表示電極対を有する放電セルを複数備えたパネルと、表示電極対に印加する維持パルスを発生する維持パルス発生回路とを備え、維持パルス発生回路は、表示電極対の電極間容量とＬＣ共振するインダクタと、電極間容量から回収される電力を蓄積する電力回収用のコンデンサと、電力回収用のコンデンサから電極間容量に電力を供給するときに導通させる第１のスイッチング素子と、第１のスイッチング素子に直列に接続され電極間容量から電力回収用のコンデンサに流れる電流を遮断する第１のダイオードと、電極間容量から電力回収用のコンデンサに電力を回収するときに導通させる第２のスイッチング素子と、第２のスイッチング素子に直列に接続され電力回収用のコンデンサから電極間容量に流れる電流を遮断する第２のダイオードとを備える電力回収回路を有し、電力回収回路は、第１のスイッチング素子と第１のダイオードとに並列に接続した第１のコンデンサと、第２のスイッチング素子と第２のダイオードとに並列に接続した第２のコンデンサとを有することを特徴とする。
【００１５】
これにより、電力回収回路を構成するスイッチング素子およびダイオードにかかる負荷を軽減して、電力回収回路を安定に動作させることが可能となる。
【発明の効果】
【００１６】
本発明によれば、電力回収回路を構成する回路素子にかかる負荷を軽減して、電力回収回路を安定に動作させることができるパネルの駆動方法およびプラズマディスプレイ装置を提供することが可能となる。
【図面の簡単な説明】
【００１７】
【図１】本発明の一実施の形態におけるパネルの構造を示す分解斜視図である。
【図２】同パネルの電極配列図である。
【図３】同パネルの各電極に印加する駆動電圧波形図である。
【図４】本発明の一実施の形態におけるプラズマディスプレイ装置の回路ブロック図である。
【図５】本発明の一実施の形態における維持パルス発生回路の回路図である。
【図６】同維持パルス発生回路の動作を説明するためのタイミングチャートである。
【図７】同維持パルス発生回路において第１のダイオードに加わる電圧と第１のコンデンサの容量との関係を示す図である。
【発明を実施するための形態】
【００１８】
以下、本発明の実施の形態におけるプラズマディスプレイ装置について、図面を用いて説明する。
【００１９】
（実施の形態）
図１は、本発明の一実施の形態におけるパネル１０の構造を示す分解斜視図である。ガラス製の前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。また、保護層２６は、酸化マグネシウム（ＭｇＯ）を主成分とする材料から形成されている。
【００２０】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２１】
これら前面基板２１と背面基板３１とは、微小な放電空間を挟んで表示電極対２４とデータ電極３２とが交差するように対向配置されている。そして、その外周部はガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２２】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２３】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｋ（ｋ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。例えば、画素数が１９２０×１０８０個のパネルでは、ｍ＝１９２０×３となり、ｎ＝１０８０となる。
【００２４】
次に、パネル１０を駆動するための駆動電圧波形とその動作の概要について説明する。なお、本実施の形態におけるプラズマディスプレイ装置は、１フィールドを時間軸上で複数のサブフィールドに分割し、各サブフィールドにそれぞれ輝度重みを設定し、サブフィールド毎に各放電セルの発光・非発光を制御するサブフィールド法によって階調表示を行うものとする。
【００２５】
このサブフィールド法では、例えば、１フィールドを８つのサブフィールド（第１ＳＦ、第２ＳＦ、・・・、第８ＳＦ）で構成し、時間的に後のサブフィールドほど輝度重みが大きくなるように、各サブフィールドはそれぞれ（１、２、４、８、１６、３２、６４、１２８）の輝度重みを有する構成とすることができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００２６】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなる。したがって、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２７】
しかし、本実施の形態は、サブフィールド数や各サブフィールドの輝度重みが上記の値に限定されるものではなく、また、画像信号等にもとづいてサブフィールド構成を切り換える構成であってもよい。
【００２８】
以下、まず駆動電圧波形の概要および駆動回路の構成について説明し、続いて維持期間における動作の詳細について説明する。
【００２９】
図３は、本発明の一実施の形態におけるパネル１０の各電極に印加する駆動電圧波形図である。図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００３０】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００３１】
まず、全セル初期化サブフィールドである第１ＳＦについて説明する。
【００３２】
第１ＳＦの初期化期間前半部では、データ電極Ｄ１〜データ電極Ｄｍ、維持電極ＳＵ１〜維持電極ＳＵｎにはそれぞれ０（Ｖ）を印加し、走査電極ＳＣ１〜走査電極ＳＣｎには、電圧Ｖｉ１を印加する。このとき、電圧Ｖｉ１は、維持電極ＳＵ１〜維持電極ＳＵｎに対して放電開始電圧未満の電圧にする。さらに電圧Ｖｉ１から、電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。このとき、電圧Ｖｉ２は維持電極ＳＵ１〜維持電極ＳＵｎに対して放電開始電圧を超える電圧にする。
【００３３】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３４】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧未満となる電圧Ｖｉ３から放電開始電圧を超える負の電圧Ｖｉ４に向かって緩やかに（例えば、約−２．５Ｖ／μｓｅｃの勾配で）下降する傾斜電圧（以下、「下りランプ電圧」と呼称する）Ｌ２を印加する。
【００３５】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３６】
続く書込み期間では、走査電極ＳＣ１〜走査電極ＳＣｎに対しては順次走査パルス電圧Ｖａを印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００３７】
具体的には、まず維持電極ＳＵ１〜維持電極ＳＵｎに電圧Ｖｅ２を印加し、走査電極ＳＣ１〜走査電極ＳＣｎに電圧Ｖｃ（電圧Ｖｃ＝電圧Ｖａ＋電圧Ｖｓｃ）を印加する。
【００３８】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３９】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００４０】
続く維持期間では、輝度重みに所定の輝度倍率を乗じた数の維持パルスを表示電極対２４に交互に印加して、書込み放電を発生した放電セルで維持放電を発生させて発光させる。
【００４１】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４２】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４３】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので、再び維持電極ＳＵｉと走査電極ＳＣｉとの間に維持放電が起こり、維持電極ＳＵｉ上に負の壁電圧が蓄積され、走査電極ＳＣｉ上に正の壁電圧が蓄積される。以降同様に、走査電極ＳＣ１〜走査電極ＳＣｎと維持電極ＳＵ１〜維持電極ＳＵｎとに、輝度重みに輝度倍率を乗じた数の維持パルスを交互に印加することで、書込み期間において書込み放電を起こした放電セルで維持放電が継続して発生する。
【００４４】
そして、維持期間における維持パルスの発生後に、維持電極ＳＵ１〜維持電極ＳＵｎおよびデータ電極Ｄ１〜データ電極Ｄｍには０（Ｖ）を印加したまま、走査電極ＳＣ１〜走査電極ＳＣｎに、０（Ｖ）から放電開始電圧を超える電圧Ｖｅｒｓに向かって緩やかに（例えば、約１０Ｖ／μｓｅｃ）上昇する傾斜電圧（以下、「消去ランプ電圧」と呼称する）Ｌ３を印加する。これにより、維持放電を起こした放電セルの維持電極ＳＵｉと走査電極ＳＣｉとの間で、微弱な放電が発生する。この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００４５】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に蓄積されていく。したがって、維持放電が発生した放電セルにおいて、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。これにより、維持放電が発生した放電セルにおいて、データ電極Ｄｋ上の正の壁電荷を残したまま、走査電極ＳＣｉおよび維持電極ＳＵｉ上の、壁電圧の一部または全部が消去される。すなわち、消去ランプ電圧Ｌ３によって発生する放電は、維持放電が発生した放電セル内に蓄積された不要な壁電荷を消去する「消去放電」として働く（以下、消去ランプ電圧Ｌ３によって発生させる放電を「消去放電」と呼称する）。
【００４６】
その後、走査電極ＳＣ１〜走査電極ＳＣｎを０（Ｖ）に戻し、維持期間における維持動作が終了する。
【００４７】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎには放電開始電圧未満となる電圧（例えば、０（Ｖ））から放電開始電圧を超える負の電圧Ｖｉ４に向かって緩やかに（例えば、約−２．５Ｖ／μｓｅｃの勾配で）下降する下りランプ電圧Ｌ４を印加する。
【００４８】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、直前のサブフィールドの維持期間で維持放電を起こさなかった放電セルでは初期化放電は発生しない。このように第２ＳＦにおける初期化動作は、直前のサブフィールドの維持期間で維持動作を行った放電セルに対して初期化放電を行う選択初期化動作となる。
【００４９】
第２ＳＦの書込み期間では、走査電極ＳＣ１〜走査電極ＳＣｎ、維持電極ＳＵ１〜維持電極ＳＵｎおよびデータ電極Ｄ１〜データ電極Ｄｍに対して第１ＳＦの書込み期間と同様の駆動波形を印加する。第２ＳＦの維持期間では、第１ＳＦの維持期間と同様に、走査電極ＳＣ１〜走査電極ＳＣｎと維持電極ＳＵ１〜維持電極ＳＵｎとにあらかじめ定められた数の維持パルスを交互に印加する。
【００５０】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００５１】
以上が、パネル１０の各電極に印加する駆動電圧波形の概要である。
【００５２】
次に、本実施の形態におけるプラズマディスプレイ装置の構成について説明する。図４は、本発明の一実施の形態におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５３】
画像信号処理回路４１は、入力された画像信号ｓｉｇを放電セルにおけるサブフィールド毎の発光・非発光を示す画像データに変換する。
【００５４】
タイミング発生回路４５は、水平同期信号Ｈおよび垂直同期信号Ｖにもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００５５】
データ電極駆動回路４２は、画像データを構成するサブフィールド毎のデータを各データ電極Ｄ１〜データ電極Ｄｍに対応する信号に変換し、タイミング発生回路４５から供給されるタイミング信号にもとづいて各データ電極Ｄ１〜データ電極Ｄｍを駆動する。
【００５６】
走査電極駆動回路４３は、初期化期間に走査電極ＳＣ１〜走査電極ＳＣｎに印加する初期化波形を発生する初期化波形発生回路、維持期間に走査電極ＳＣ１〜走査電極ＳＣｎに印加する維持パルスを発生する維持パルス発生回路５０、複数の走査電極駆動ＩＣ（以下、「走査ＩＣ」と略記する）を備え書込み期間に走査電極ＳＣ１〜走査電極ＳＣｎに印加する走査パルスを発生する走査パルス発生回路を有する。そして、タイミング発生回路４５から供給されるタイミング信号にもとづいて各走査電極ＳＣ１〜走査電極ＳＣｎをそれぞれ駆動する。
【００５７】
維持電極駆動回路４４は、維持パルス発生回路６０および電圧Ｖｅ１、電圧Ｖｅ２を発生する回路（図示せず）を備え、タイミング発生回路４５から供給されるタイミング信号にもとづいて維持電極ＳＵ１〜維持電極ＳＵｎを駆動する。
【００５８】
続いて、本実施の形態における維持パルス発生回路５０、維持パルス発生回路６０について説明する。図５は、本発明の一実施の形態における維持パルス発生回路５０、維持パルス発生回路６０の回路図である。なお、図５にはパネル１０の電極間容量をＣｐとして示し、走査パルスおよび初期化波形を発生する回路は省略している。
【００５９】
維持パルス発生回路５０は、電力回収回路５１とクランプ回路５２とを備えており、電力回収回路５１およびクランプ回路５２は、走査パルス発生回路（維持期間中は短絡状態となるため図示せず）を介してパネル１０の電極間容量Ｃｐの一端である走査電極ＳＣ１〜走査電極ＳＣｎに接続されている。
【００６０】
電力回収回路５１は、電極間容量Ｃｐから回収される電力を蓄積する電力回収用のコンデンサＣ１０と、コンデンサＣ１０から電極間容量Ｃｐに電力を供給するときのスイッチング動作を行う第１のスイッチング素子であるスイッチング素子Ｑ１１と、電極間容量ＣｐからコンデンサＣ１０に電力を回収するときのスイッチング動作を行う第２のスイッチング素子であるスイッチング素子Ｑ１２と、スイッチング素子Ｑ１１に直列に接続され電極間容量ＣｐからコンデンサＣ１０に流れる電流を遮断する第１のダイオードである逆流防止用のダイオードＤｉ１１と、スイッチング素子Ｑ１２に直列に接続されコンデンサＣ１０から電極間容量Ｃｐに流れる電流を遮断する第２のダイオードである逆流防止用のダイオードＤｉ１２と、電極間容量Ｃｐとの共振用のインダクタＬ１１およびインダクタＬ１２と、第１のコンデンサである負荷軽減用のコンデンサＣ１１、第２のコンデンサである負荷軽減用のコンデンサＣ１２とを有している。なお、本実施の形態では、コンデンサＣ１１をスイッチング素子Ｑ１１およびダイオードＤｉ１１に並列に設け、コンデンサＣ１２をスイッチング素子Ｑ１２およびダイオードＤｉ１２に並列に設けるものとする。
【００６１】
そして、電力回収回路５１は、電極間容量ＣｐとインダクタＬ１１とをＬＣ共振させて、走査電極ＳＣ１〜走査電極ＳＣｎに印加する維持パルスの電圧を接地電位（０（Ｖ））から電圧Ｖｓに向けて上昇させ（以下、「立ち上げ」と略記する）、電極間容量ＣｐとインダクタＬ１２とをＬＣ共振させて、走査電極ＳＣ１〜走査電極ＳＣｎに印加する維持パルスの電圧を電圧Ｖｓから接地電位（０（Ｖ））に向けて下降させる（以下、「立ち下げ」と略記する）。このように、電力回収回路５１は電源から電力を供給されることなくＬＣ共振によって走査電極ＳＣ１〜走査電極ＳＣｎの駆動を行うため、理想的には消費電力が０となる。なお、電力回収用のコンデンサＣ１０は電極間容量Ｃｐに比べて十分に大きい容量を持ち、電力回収回路５１の電源として働くように、電圧値Ｖｓの半分の約Ｖｓ／２に充電されている。
【００６２】
クランプ回路５２は、走査電極ＳＣ１〜走査電極ＳＣｎを電圧Ｖｓにクランプするためのスイッチング素子Ｑ１３、走査電極ＳＣ１〜走査電極ＳＣｎをベース電位である０（Ｖ）にクランプするためのスイッチング素子Ｑ１４を有している。そして、クランプ回路５２は、スイッチング素子Ｑ１３を介して走査電極ＳＣ１〜走査電極ＳＣｎを電源ＶＳに接続して電圧Ｖｓにクランプし、スイッチング素子Ｑ１４を介して走査電極ＳＣ１〜走査電極ＳＣｎを接地して０（Ｖ）にクランプする。したがって、クランプ回路５２による電圧印加時のインピーダンスは小さく、強い維持放電による大きな放電電流を安定して流すことができる。
【００６３】
そして、維持パルス発生回路５０は、タイミング発生回路４５から出力されるタイミング信号によりスイッチング素子Ｑ１１、スイッチング素子Ｑ１２、スイッチング素子Ｑ１３、スイッチング素子Ｑ１４の導通と遮断とを切り換えることによって電力回収回路５１とクランプ回路５２とを動作させ、維持パルスを発生する。
【００６４】
例えば、走査電極ＳＣ１〜走査電極ＳＣｎに印加する維持パルスを立ち上げる際には、スイッチング素子Ｑ１１をオンにするとともにスイッチング素子Ｑ１２をオフにして電極間容量ＣｐとインダクタＬ１１とを共振させ、電力回収用のコンデンサＣ１０からスイッチング素子Ｑ１１、ダイオードＤｉ１１、インダクタＬ１１を通して走査電極ＳＣ１〜走査電極ＳＣｎに電力を供給する。そして、走査電極ＳＣ１〜走査電極ＳＣｎの電圧が電圧Ｖｓに近づいた時点で、スイッチング素子Ｑ１３をオンにして、走査電極ＳＣ１〜走査電極ＳＣｎを駆動する回路を電力回収回路５１からクランプ回路５２に切り換え、走査電極ＳＣ１〜走査電極ＳＣｎを電圧Ｖｓにクランプする。
【００６５】
逆に、走査電極ＳＣ１〜走査電極ＳＣｎに印加する維持パルスを立ち下げる際には、スイッチング素子Ｑ１２をオンにするとともにスイッチング素子Ｑ１１をオフにして電極間容量ＣｐとインダクタＬ１２とを共振させ、電極間容量ＣｐからインダクタＬ１２、ダイオードＤｉ１２、スイッチング素子Ｑ１２を通して電力回収用のコンデンサＣ１０に電力を回収する。そして、走査電極ＳＣ１〜走査電極ＳＣｎの電圧が０（Ｖ）に近づいた時点で、スイッチング素子Ｑ１４をオンにして、走査電極ＳＣ１〜走査電極ＳＣｎを駆動する回路を電力回収回路５１からクランプ回路５２に切り換え、走査電極ＳＣ１〜走査電極ＳＣｎをベース電位である０（Ｖ）にクランプする。
【００６６】
このようにして、維持パルス発生回路５０は、走査電極ＳＣ１〜走査電極ＳＣｎに印加する維持パルスを発生する。なお、これらのスイッチング素子は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等の一般に知られた素子を用いて構成することができる。
【００６７】
維持パルス発生回路６０は、維持パルス発生回路５０とほぼ同様の構成であり、電力回収回路６１とクランプ回路６２とを備え、パネル１０の電極間容量Ｃｐの一端である維持電極ＳＵ１〜維持電極ＳＵｎに接続されている。電力回収回路６１は、電極間容量Ｃｐから回収される電力を蓄積する電力回収用のコンデンサＣ２０と、コンデンサＣ２０から電極間容量Ｃｐに電力を供給するときのスイッチング動作を行う第１のスイッチング素子であるスイッチング素子Ｑ２１と、電極間容量ＣｐからコンデンサＣ２０に電力を回収するときのスイッチング動作を行う第２のスイッチング素子であるスイッチング素子Ｑ２２と、スイッチング素子Ｑ２１に直列に接続され電極間容量ＣｐからコンデンサＣ２０に流れる電流を遮断する第１のダイオードである逆流防止用のダイオードＤｉ２１と、スイッチング素子Ｑ２２に直列に接続されコンデンサＣ２０から電極間容量Ｃｐに流れる電流を遮断する第２のダイオードである逆流防止用のダイオードＤｉ２２と、電極間容量Ｃｐとの共振用のインダクタＬ２１およびインダクタＬ２２と、第１のコンデンサである負荷軽減用のコンデンサＣ２１と、第２のコンデンサである負荷軽減用のコンデンサＣ２２とを有し、維持電極ＳＵ１〜維持電極ＳＵｎを駆動するときの電力を回収、再利用して、維持電極ＳＵ１〜維持電極ＳＵｎに印加する維持パルスの立ち上がりおよび立ち下がりを行う。なお、電力回収回路６１では、コンデンサＣ２１をスイッチング素子Ｑ２１およびダイオードＤｉ２１に並列に設け、コンデンサＣ２２をスイッチング素子Ｑ２２およびダイオードＤｉ２２に並列に設けるものとする。
【００６８】
クランプ回路６２は、維持電極ＳＵ１〜維持電極ＳＵｎを電圧Ｖｓにクランプするためのスイッチング素子Ｑ２３および維持電極ＳＵ１〜維持電極ＳＵｎを接地電位（０（Ｖ））にクランプするためのスイッチング素子Ｑ２４を有し、走査電極ＳＣ１〜走査電極ＳＣｎを電圧Ｖｓまたは０（Ｖ）にクランプする。なお、維持パルス発生回路６０の動作は維持パルス発生回路５０と同様であるので説明を省略する。
【００６９】
また、図５には、電圧Ｖｅ１を発生する電源ＶＥ１、電圧Ｖｅ１を維持電極ＳＵ１〜維持電極ＳＵｎに印加するためのスイッチング素子Ｑ２６、スイッチング素子Ｑ２７、電圧ΔＶｅを発生する電源ΔＶＥ、逆流防止用のダイオードＤｉ３０、電圧Ｖｅ１に電圧ΔＶｅを積み上げるためのチャージポンプ用のコンデンサＣ３０、電圧Ｖｅ１に電圧ΔＶｅを積み上げて電圧Ｖｅ２とするためのスイッチング素子Ｑ２８、スイッチング素子Ｑ２９を示している。
【００７０】
例えば、図３に示した電圧Ｖｅ１を印加するタイミングでは、スイッチング素子Ｑ２６、スイッチング素子Ｑ２７を導通し、ダイオードＤｉ３０、スイッチング素子Ｑ２７、スイッチング素子Ｑ２６を介して維持電極ＳＵ１〜維持電極ＳＵｎに正の電圧Ｖｅ１を印加する。なお、このときスイッチング素子Ｑ２８を導通し、コンデンサＣ３０の電圧が電圧Ｖｅ１になるように充電しておく。また、図３に示した電圧Ｖｅ２を印加するタイミングでは、スイッチング素子Ｑ２６、スイッチング素子Ｑ２７は導通したまま、スイッチング素子Ｑ２８を遮断するとともにスイッチング素子Ｑ２９を導通してコンデンサＣ３０の電圧に電圧ΔＶｅを重畳し、維持電極ＳＵ１〜維持電極ＳＵｎに電圧Ｖｅ１＋ΔＶｅ、すなわち電圧Ｖｅ２を印加する。このとき、逆流防止用のダイオードＤｉ３０の働きにより、コンデンサＣ３０から電源ＶＥ１への電流は遮断される。
【００７１】
なお、電圧Ｖｅ１、電圧Ｖｅ２を印加する回路については、図５に示した回路に限定されるものではなく、例えば、電圧Ｖｅ１を発生する電源と電圧Ｖｅ２を発生する電源とそれぞれの電圧を維持電極ＳＵ１〜維持電極ＳＵｎに印加するための複数のスイッチング素子とを用いて、それぞれの電圧を必要なタイミングで維持電極ＳＵ１〜維持電極ＳＵｎに印加する構成とすることもできる。
【００７２】
次に、維持期間における駆動電圧波形の詳細について説明する。図６は、本発明の一実施の形態における維持パルス発生回路５０、維持パルス発生回路６０の動作を説明するためのタイミングチャートである。図６では、維持パルスの繰り返し周期の１周期分をＴ１〜Ｔ６で示した６つの期間に分割して示し、それぞれの期間について説明する。この繰り返し周期（以下、「維持周期」と記す）とは、維持期間において表示電極対に繰り返し印加される維持パルスの間隔のことであり、例えば、期間Ｔ１〜期間Ｔ６によって繰り返される周期のことを表す。
【００７３】
なお、以下の説明においてスイッチング素子を導通する動作をオン、遮断する動作をオフと表記し、図面にはスイッチング素子をオンにする信号を「ＯＮ」、オフにする信号を「ＯＦＦ」と表記する。また、図６では、正極の波形を用いて説明をするが、本発明はこれに限られるものではない。例えば、負極の波形における実施の形態は省略するが、以下の説明の正極の波形において「立ち上がり」と表現しているものを、負極の波形においては「立ち下がり」に、正極の波形において「立ち下がり」と表現しているものを、負極の波形においては「立ち上がり」に置きかえることで、負極の波形であっても同様の効果を得ることができるものである。
【００７４】
（期間Ｔ１）
時刻ｔ１でスイッチング素子Ｑ１２をオンにする。すると、走査電極ＳＣ１〜走査電極ＳＣｎ側の電荷はインダクタＬ１２、ダイオードＤｉ１２、スイッチング素子Ｑ１２を通してコンデンサＣ１０に流れ始め、走査電極ＳＣ１〜走査電極ＳＣｎの電圧が下がり始める。インダクタＬ１２と電極間容量Ｃｐとは共振回路を形成しているので、その共振の周期（以下、「共振周期」と記す。例えば、２０００ｎｓｅｃ）の１／２の時間経過後の時刻ｔ２において走査電極ＳＣ１〜走査電極ＳＣｎの電圧は０（Ｖ）付近まで低下する。しかし共振回路の抵抗成分等による電力損失のため、走査電極ＳＣ１〜走査電極ＳＣｎの電圧は０（Ｖ）までは下がらない。
【００７５】
なお、この間、スイッチング素子Ｑ２４はオンに保持し、維持電極ＳＵ１〜維持電極ＳＵｎは０（Ｖ）にクランプしておく。
【００７６】
（期間Ｔ２）
そして、時刻ｔ２でスイッチング素子Ｑ１４をオンにする。すると、走査電極ＳＣ１〜走査電極ＳＣｎはスイッチング素子Ｑ１４を通して直接に接地されるため、走査電極ＳＣ１〜走査電極ＳＣｎの電圧は接地電位である０（Ｖ）にクランプされる。
【００７７】
さらに、時刻ｔ２でスイッチング素子Ｑ２１をオンにする。すると、電力回収用のコンデンサＣ２０からスイッチング素子Ｑ２１、ダイオードＤｉ２１、インダクタＬ２１を通して維持電極ＳＵ１〜維持電極ＳＵｎへ電流が流れ始め、維持電極ＳＵ１〜維持電極ＳＵｎの電圧が上がり始める。インダクタＬ２１と電極間容量Ｃｐとは共振回路を形成しているので、共振周期（例えば、２０００ｎｓｅｃ）の１／２の時間経過後の時刻ｔ３において維持電極ＳＵ１〜維持電極ＳＵｎの電圧は電圧Ｖｓ付近まで上昇する。しかし、駆動回路の出力インピーダンスや駆動負荷の影響で、電圧Ｖｓまでは上昇しない。
【００７８】
（期間Ｔ３）
そして、時刻ｔ３でスイッチング素子Ｑ２３をオンにする。すると維持電極ＳＵ１〜維持電極ＳＵｎはスイッチング素子Ｑ２３を通して直接に電源ＶＳへ接続されるため、維持電極ＳＵ１〜維持電極ＳＵｎの電圧は電圧Ｖｓにクランプされ強制的に電圧Ｖｓまで上昇する。この期間Ｔ３では維持電極ＳＵ１〜維持電極ＳＵｎの電圧は電圧Ｖｓに保たれる。
【００７９】
（期間Ｔ４〜期間Ｔ６）
走査電極ＳＣ１〜走査電極ＳＣｎに印加される維持パルスと維持電極ＳＵ１〜維持電極ＳＵｎに印加される維持パルスとは同じ波形形状であり、期間Ｔ４から期間Ｔ６までの動作は、期間Ｔ１から期間Ｔ３までの動作を走査電極ＳＣ１〜走査電極ＳＣｎと維持電極ＳＵ１〜維持電極ＳＵｎとを入れ替えての動作に等しいので説明を省略する。
【００８０】
なお、スイッチング素子Ｑ１２は時刻ｔ２以降、時刻ｔ５までにオフすればよく、スイッチング素子Ｑ２１は時刻ｔ３以降、時刻ｔ４までにオフすればよい。また、スイッチング素子Ｑ２２は時刻ｔ５以降、次の時刻ｔ２までにオフすればよく、スイッチング素子Ｑ１１は時刻ｔ６以降、次の時刻ｔ１までにオフすればよい。また、維持パルス発生回路５０、維持パルス発生回路６０の出力インピーダンスを下げるために、スイッチング素子Ｑ２４は時刻ｔ２直前に、スイッチング素子Ｑ１３は時刻ｔ１直前にオフにすることが望ましく、スイッチング素子Ｑ１４は時刻ｔ５直前に、スイッチング素子Ｑ２３は時刻ｔ４直前にオフにすることが望ましい。
【００８１】
維持期間においては、以上の期間Ｔ１〜期間Ｔ６の動作を、サブフィールド毎に定められたパルス数に応じて繰り返す。このようにして、ベース電位である０（Ｖ）から電圧Ｖｓに変位する維持パルスを、表示電極対２４のそれぞれに交互に印加して放電セルを維持放電させる。
【００８２】
なお、電力回収回路５１のインダクタＬ１１（またはインダクタＬ１２）とパネル１０の電極間容量ＣｐとのＬＣ共振の共振周期、および電力回収回路６１のインダクタＬ２１（またはインダクタＬ２２）と同電極間容量ＣｐとのＬＣ共振の共振周期は、インダクタＬ１１、インダクタＬ１２、インダクタＬ２１、インダクタＬ２２のインダクタンスをそれぞれＬとすれば、計算式「２π√（ＬＣｐ）」によって求めることができる。本実施の形態では、電力回収回路５１、電力回収回路６１における共振周期が、例えば２０００ｎｓｅｃになるように、インダクタＬ１１、インダクタＬ１２、インダクタＬ２１、インダクタＬ２２を設定している。
【００８３】
次に、本実施の形態において、第１のスイッチング素子および第１のダイオードに第１のコンデンサを並列に接続し、第２のスイッチング素子および第２のダイオードに第２のコンデンサを並列に接続して電力回収回路を構成した理由について、電力回収回路５１を例に挙げて説明する。
【００８４】
図６に示したように、走査電極ＳＣ１〜走査電極ＳＣｎに印加する維持パルスを発生する際には、スイッチング素子Ｑ１１およびスイッチング素子Ｑ１２のオン・オフを交互に切り換える。例えば、維持パルスを立ち上げるときには、スイッチング素子Ｑ１１をオンにしてコンデンサＣ１０から走査電極ＳＣ１〜走査電極ＳＣｎに電流を流し（図６の期間Ｔ５）、維持パルスを立ち下げるときには、スイッチング素子Ｑ１２をオンにして走査電極ＳＣ１〜走査電極ＳＣｎからコンデンサＣ１０に電流を流す（図６の期間Ｔ１）。
【００８５】
一方、コンデンサＣ１０とスイッチング素子Ｑ１１との間を接続する導線には、寄生インダクタと呼ばれるインダクタ成分が生じることがあり、コンデンサＣ１０からスイッチング素子Ｑ１１を通って走査電極ＳＣ１〜走査電極ＳＣｎに電流が流れるときに、この寄生インダクタとコンデンサＣ１０とがＬＣ共振を起こすことがある。そのような場合、スイッチング素子Ｑ１１をオンからオフに切り換えるときに、この寄生インダクタに起因する電圧（共振電圧）および電流（共振電流）が発生する。
【００８６】
したがって、従来の電力回収回路では、スイッチング素子Ｑ１１をオンからオフに切り換えるときに、共振電圧による大きな電圧がスイッチング素子Ｑ１１およびダイオードＤｉ１１に瞬間的に印加されることがある。また、スイッチング素子Ｑ１１の内部に形成される寄生容量を通してダイオードＤｉ１１に共振電流が流れてダイオードＤｉ１１に不要な熱が生じることがある。そして、この現象は、スイッチング素子Ｑ１１のスイッチング動作の度に生じる。これは、コンデンサＣ１０とスイッチング素子Ｑ１２との間においても同様である。
【００８７】
したがって、従来の電力回収回路では、そのような負荷に耐えられるように、定格値の大きいダイオードまたはスイッチング素子を使用する必要があった。
【００８８】
しかし、本実施の形態では、電力回収回路５１を、スイッチング素子Ｑ１１およびダイオードＤｉ１１にコンデンサＣ１１を並列に接続し、スイッチング素子Ｑ１２およびダイオードＤｉ１２にコンデンサＣ１２を並列に接続した構成としている。これにより、例えば、スイッチング素子Ｑ１１をオンからオフに切り換えるときに、コンデンサＣ１０とスイッチング素子Ｑ１１との間の寄生インダクタに起因して生じる共振電流を、コンデンサＣ１１を通してコンデンサＣ１０とインダクタＬ１１との間で流すことができる。あるいは、スイッチング素子Ｑ１２をオンからオフに切り換えたときに、コンデンサＣ１０とスイッチング素子Ｑ１２との間の寄生インダクタに起因して生じる共振電流を、コンデンサＣ１２を通してコンデンサＣ１０とインダクタＬ１２との間で流すことができる。
【００８９】
したがって、本実施の形態では、電力回収回路５１において、スイッチング素子Ｑ１１およびスイッチング素子Ｑ１２のスイッチング動作の際に、スイッチング素子Ｑ１１とダイオードＤｉ１１、およびスイッチング素子Ｑ１２とダイオードＤｉ１２にかかる不要な負荷を軽減することができる。
【００９０】
これは、維持電極ＳＵ１〜維持電極ＳＵｎに印加する維持パルスを発生する電力回収回路６１においても同様であり、スイッチング素子Ｑ２１およびダイオードＤｉ２１にコンデンサＣ２１を並列に接続し、スイッチング素子Ｑ２２およびダイオードＤｉ２２にコンデンサＣ２２を並列に接続した構成とすることで、スイッチング素子Ｑ２１およびスイッチング素子Ｑ２２のスイッチング動作の際に、スイッチング素子Ｑ２１とダイオードＤｉ２１、およびスイッチング素子Ｑ２２とダイオードＤｉ２２にかかる不要な負荷を軽減することができる。
【００９１】
図７は、本発明の一実施の形態における維持パルス発生回路５０においてダイオードＤｉ１１に加わる電圧とコンデンサＣ１１の容量との関係を示す図である。縦軸は、スイッチング素子Ｑ１１のスイッチング動作時にダイオードＤｉ１１に加わる電圧を表し、横軸は、コンデンサＣ１１の容量を表す。
【００９２】
図７に示すように、スイッチング素子Ｑ１１のスイッチング動作時にダイオードＤｉ１１に加わる電圧は、コンデンサＣ１１の容量に応じて減少する。例えば、コンデンサＣ１１を設けない（図７では、コンデンサ容量＝０（ｐＦ））ときの電圧は４６３（Ｖ）であるが、コンデンサＣ１１を６８０ｐＦにしたときには４５０（Ｖ）に減少し、さらに、コンデンサＣ１１を１０００ｐＦにしたときには４４７（Ｖ）、コンデンサＣ１１を１５００ｐＦにしたときには４３９（Ｖ）と、コンデンサＣ１１の容量を大きくするほどダイオードＤｉ１１に加わる電圧が減少するという結果が得られた。
【００９３】
以上示したように、本実施の形態においては、電力回収回路において、第１のコンデンサを第１のスイッチング素子および第１のダイオードに並列に設け、第２のコンデンサを第２のスイッチング素子および第２のダイオードに並列に設ける構成とすることで、第１のスイッチング素子および第２のスイッチング素子のスイッチング動作の際に、第１のスイッチング素子と第１のダイオード、および第２のスイッチング素子と第２のダイオードに不要な負荷が加わるのを防止することが可能となる。
【００９４】
なお、上述した数値、例えば、第１のコンデンサおよび第２のコンデンサの容量は、本実施の形態における一例を示したものに過ぎず、本発明は何らこれらの例に限定されるものではない。これらの数値は、パネルの特性やプラズマディスプレイ装置の仕様等にもとづき、最適に設定することが望ましい。
【００９５】
なお、本発明における実施の形態に示した各回路ブロックは、本実施の形態に示した各動作を行う電気回路として構成されてもよく、あるいは、同様の動作をするようにプログラミングされたマイクロコンピュータ等を用いて構成されてもよい。
【００９６】
なお、図３に示した駆動電圧波形は実施の形態における一例を示したものに過ぎず、本発明は、何らこれらの駆動電圧波形に限定されるものではない。
【００９７】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【００９８】
なお、本発明における実施の形態は、走査電極と走査電極とが隣り合い、維持電極と維持電極とが隣り合う電極構造、すなわち前面基板２１に設けられる電極の配列が、「・・・、走査電極、走査電極、維持電極、維持電極、走査電極、走査電極、・・・」となる電極構造のパネルにおいても有効である。
【００９９】
なお、本発明における実施の形態において示した具体的な各数値は、表示電極対数１０８０の５０インチのパネルの特性にもとづき設定したものであって、単に実施の形態の一例を示したものに過ぎない。本発明はこれらの数値に何ら限定されるものではなく、パネルの特性や電力回収回路を搭載した基板の特性（基板に形成される寄生インダクタンス等）、プラズマディスプレイ装置の仕様等に合わせて最適に設定することが望ましい。また、これらの各数値は、上述した効果を得られる範囲でのばらつきを許容するものとする。
【産業上の利用可能性】
【０１００】
本発明は、電力回収回路を構成する回路素子にかかる負荷を軽減して、電力回収回路を安定に動作させることができるので、プラズマディスプレイ装置として有用である。
【符号の説明】
【０１０１】
１    プラズマディスプレイ装置
１０    パネル
２１    （ガラス製の）前面基板
２２    走査電極
２３    維持電極
２４    表示電極対
２５，３３    誘電体層
２６    保護層
３１    背面基板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
５０，６０    維持パルス発生回路
５１，６１    電力回収回路
５２，６２    クランプ回路
Ｑ１１，Ｑ１２，Ｑ１３，Ｑ１４，Ｑ２１，Ｑ２２，Ｑ２３，Ｑ２４，Ｑ２６，Ｑ２７，Ｑ２８，Ｑ２９    スイッチング素子
Ｃ１０，Ｃ１１，Ｃ１２，Ｃ２０，Ｃ２１，Ｃ２２，Ｃ３０    コンデンサ
Ｌ１１，Ｌ１２，Ｌ２１，Ｌ２２    インダクタ
Ｄｉ１１，Ｄｉ１２，Ｄｉ２１，Ｄｉ２２，Ｄｉ３０    ダイオード
【図１】
2011102820.tif 000003
【図２】
2011102820.tif 000004
【図３】
2011102820.tif 000005
【図４】
2011102820.tif 000006
【図５】
2011102820.tif 000007
【図６】
2011102820.tif 000008
【図７】
2011102820.tif 000009